(57)【特許請求の範囲】
【請求項１】
アレイアンテナの受信信号によって角度ダイバーシチのブランチを構成して角度ダイバーシチ受信を行う角度ダイバーシチ受信装置であって、
前記アレイアンテナに含まれる複数のアンテナ素子の受信信号をフェーズドアレイ合成することにより、前記ブランチの受信信号を生成する複数のフェーズドアレイ合成手段と、
２つの前記ブランチの受信信号間の相関値を計算して出力する相関制御手段と、を備え、
前記フェーズドアレイ合成手段は、前記相関値が計算された前記ブランチ間の指向方向の角度差を、前記相関値が小さくなるように制御する、ことを特徴とする角度ダイバーシチ受信装置。
【請求項２】
前記フェーズドアレイ合成手段の出力がそれぞれ入力される複数の適応整合フィルタと、
前記適応整合フィルタの出力を合成することで角度ダイバーシチ合成を行うダイバーシチ合成手段と、
前記ダイバーシチ合成手段の出力を自動等化する自動等化手段と、をさらに備え、
前記相関制御手段は、２つの前記フェーズドアレイ合成手段の出力に基づいて前記相関値を出力し、
前記フェーズドアレイ合成手段は、前記ブランチの受信信号に、前記相関値に基づく複素係数を乗算し、前記乗算した結果を加算することでフェーズドアレイ合成する、
ことを特徴とする請求項１に記載の角度ダイバーシチ受信装置。
【請求項３】
前記フェーズドアレイ合成手段の出力がそれぞれ入力される複数の適応整合フィルタと、
前記適応整合フィルタの出力を合成することで角度ダイバーシチ合成を行うダイバーシチ合成手段と、
前記ダイバーシチ合成手段の出力を自動等化する自動等化手段と、
をさらに備え、
前記相関制御手段は、２つの前記適応整合フィルタの複素タップ乗算係数に基づいて前記相関値を出力し、
前記フェーズドアレイ合成手段は、前記ブランチの受信信号に、前記相関値に基づく複素係数を乗算し、前記乗算した結果を加算することでフェーズドアレイ合成する、
ことを特徴とする請求項１に記載の角度ダイバーシチ受信装置。
【請求項４】
前記複数のアンテナ素子は、ホーンアンテナ型である請求項１乃至３のいずれかに記載の角度ダイバーシチ受信装置。
【請求項５】
アレイアンテナの受信信号によってダイバーシチのブランチを構成して角度ダイバーシチ受信を行う角度ダイバーシチ受信方法であって、
前記アレイアンテナに含まれる複数のアンテナ素子の受信信号をフェーズドアレイ合成することにより、前記ブランチの受信信号を生成し、
２つの前記ブランチの受信信号間の相関値を出力し、
前記相関値が計算された前記ブランチ間の指向方向の角度差を、前記相関値が小さくなるように制御する、ことを特徴とする角度ダイバーシチ受信方法。
【発明の詳細な説明】
【技術分野】
【０００１】
本発明は、角度ダイバーシチ受信装置及び角度ダイバーシチ受信方法に関する。
【背景技術】
【０００２】
図７は、本発明に関連する、角度ダイバーシチ受信装置６００の構成を示すブロック図である。図７を参照すると、角度ダイバーシチ受信装置６００は、２個のホーンアンテナ６１Ａ及び６１Ｂから成るアンテナ群６１１を有している。この角度ダイバーシチ受信装置６００は、ホーンアンテナ６１Ａからの受信信号を、帯域通過ろ波器（band pass filter、ＢＰＦ）２２１、低雑音増幅器（low noise amplifier、ＬＮＡ）２３１、受信周波数変換器（ダウンコンバータ、Ｄ／Ｃ）２４１、自動利得制御器（automatic gain controller、ＡＧＣ）２５１及び適応整合フィルタ（adaptive matched filter、ＡＭＦ）１３１を経て受信する。【０００３】
また、角度ダイバーシチ受信装置６００は、ホーンアンテナ６１Ｂからの受信信号を、帯域通過ろ波器２２２、低雑音増幅器２３２、受信周波数変換器２４２、自動利得制御器２５２及び適応整合フィルタ１３２を経て受信する。このようにして、角度ダイバーシチ受信装置６００は、ホーンアンテナ６１Ａ及び６１Ｂからの受信信号を、角度ダイバーシチが行われる２個のブランチ（受信系）として受信する。【０００４】
帯域通過ろ波器（band pass filter、ＢＰＦ）２２１及び２２２は、受信に必要な周波数帯域の信号のみを通過させる。低雑音増幅器（low noise amplifier、ＬＮＡ）２３１及び２３２は、受信信号を増幅する。受信周波数変換器（ダウンコンバータ、Ｄ／Ｃ）２４１及び２４２は、受信信号の周波数変換を行う。自動利得制御器（automatic gain controller、ＡＧＣ）２５１及び２５２は、後段へ出力される受信信号の振幅変化を抑制するように、受信信号を増幅する。適応整合フィルタ１３１及び１３２は、各ブランチの受信信号に含まれる不要な信号を低減する。【０００５】
ダイバーシチ合成回路１４０は、適応整合フィルタ１３１及び１３２から入力された信号を、ダイバーシチ合成する。自動等化回路（判定帰還等化器、decision feedback equalizer、ＤＦＥ）１５０は、ダイバーシチ合成された信号に対する自動等化を行い、受信信号を再生する。【０００６】
なお、この種の角度ダイバーシチ受信装置については、上記のもの以外にも、例えば、特許文献１〜６ならびに非特許文献１に開示されている。【０００７】
図８は、対流圏散乱伝搬を説明するための図である。受信アンテナ８１２は、例えば図７に示された角度ダイバーシチ受信装置６００のアンテナ群６１１に対応する。送信局８１１から放射された電波は、第１の散乱点ＳＴａ及び第２の散乱点ＳＴｂで散乱を受け、それぞれ指向方向ＤＴａ及びＤＴｂの信号としてアンテナ群８１２で受信される。【０００８】
図９は、関連技術による角度ダイバーシチ受信装置６００の動作を説明するための図である。図７及び図９に示された角度ダイバーシチ受信装置６００は、次のように動作する。図９に示されるように、２個の指向方向ＤＲ６ａ及びＤＲ６ｂは、それぞれ、予め定められた角度に固定されている。そして、アンテナ群６１１は、指向方向ＤＲ６ａ及びＤＲ６ｂから到来する受信信号の、角度ダイバーシチ処理を行う。【０００９】
角度ダイバーシチ受信装置６００は、図９における指向方向ＤＲ６ａによって図８の搬送方向ＤＴａの到来電波を受信し、指向方向ＤＲ６ｂによって図８の搬送方向ＤＴｂの到来電波を受信しているとする。ここで、対流圏散乱の状態が変化し、散乱点ＳＴａまたはＳＴｂの空間位置が変化すると、搬送方向ＤＴａまたはＤＴｂが変化する。その結果、角度ダイバーシチ受信装置６００における受信信号の強度が著しく低下することがある。【００１０】
すなわち、ホーンアンテナの方位が固定された角度ダイバーシチ方式では、伝搬状況の変化に伴い電波到来方位角が変化する結果、受信レベルが低下することがある。特に、対流圏散乱伝搬においては、気象変化などにより対流圏での散乱伝搬の状況が大きく変化する。その結果、アンテナの方位が固定された角度ダイバーシチ方式では、年間を通じて伝搬損失に１０〜２０数ｄＢの長周期フェージングが生じ、電波の受信レベルが低下することがあるという問題が発生する。【００１１】
また、角度ダイバーシチ受信装置においては、ブランチ間の相関値が大きくならないように、複数の受信ホーン間の角度が予め設定されている。しかしながら、角度ダイバーシチ受信装置には、対流圏散乱の状態の変化に伴い、ブランチ間の相関値が大きくなり、ダイバーシチ効果が低下する場合があるという問題がある。
【先行技術文献】
【特許文献】
【００１２】
【特許文献１】特許第２９８２５０４号公報
【特許文献２】米国特許公報 ＵＳ７，６２３，０８４Ｂ２
【特許文献３】特開平０６−０２９８９０号公報
【特許文献４】特開平０５−３４４０２９号公報
【特許文献５】特開平０４−２２７１３２号公報
【特許文献６】特公平０７−０５０８６８号公報
【非特許文献】
【００１３】
【非特許文献１】‘Performance of an Experimental Angle-Diversity Troposcatter System’（P.Monsen、IEEE TRANSACTIONS ON COMMUNICATIONS、APRIL 1972、P242-247）
【発明の概要】
【発明が解決しようとする課題】
【００１４】
上述したことから明らかなように、角度ダイバーシチ受信装置には、電波が到来する角度が変化しても受信レベルの低下を回避できると共に、対流圏散乱伝搬の状況に変化があってもダイバーシチ効果を維持することが要望されている。【００１５】
本発明の目的は、電波到来角度が変化しても受信レベルの低下を回避できると共に、対流圏散乱伝搬の変化があってもダイバーシチ効果を維持することができる角度ダイバーシチ受信装置及び角度ダイバーシチ受信方法を提供することである。
【課題を解決するための手段】
【００１６】
本発明の角度ダイバーシチ受信装置は、アレイアンテナの受信信号によって角度ダイバーシチのブランチを構成して角度ダイバーシチ受信を行う角度ダイバーシチ受信装置であって、前記アレイアンテナに含まれる複数のアンテナ素子の受信信号をフェーズドアレイ合成することにより、前記ブランチの受信信号を生成する複数のフェーズドアレイ合成手段と、２つの前記ブランチの受信信号間の相関値を出力する相関制御手段と、を備え、前記フェーズドアレイ合成手段は、前記相関値が計算された前記ブランチ間の指向方向の角度差を、前記相関値が小さくなるように制御する、ことを特徴とする。【００１７】
本発明の角度ダイバーシチ受信方法は、アレイアンテナの受信信号によってダイバーシチのブランチを構成して角度ダイバーシチ受信を行う角度ダイバーシチ受信方法であって、前記アレイアンテナに含まれる複数のアンテナ素子の受信信号をフェーズドアレイ合成することにより、前記ブランチの受信信号を生成し、２つの前記ブランチの受信信号間の相関値を出力し、前記相関値が計算された前記ブランチ間の指向方向の角度差を、前記相関値が小さくなるように制御する、ことを特徴とする。
【発明の効果】
【００１８】
本発明の角度ダイバーシチ受信装置及び角度ダイバーシチ受信方法は、電波の到来する角度が変化しても受信レベルの低下を回避できると共に、対流圏散乱伝搬の状況に変化があってもダイバーシチ効果を維持することができる。
【図面の簡単な説明】
【００１９】
【図１】本発明の第１の実施形態による角度ダイバーシチ受信装置の構成を示す概略的なブロック図である。
【図２】図１に示した角度ダイバーシチ受信装置の具体的な構成の一形態を示すブロック図である。
【図３】角度ダイバーシチ受信装置の動作を説明するための図である。
【図４】角度ダイバーシチのブランチ間の相関値と指向方向の間隔（ビーム間の角度差）との関係を示す図である。
【図５】本発明の第２の実施形態による角度ダイバーシチ受信装置の構成を示す概略的なブロック図である。
【図６】図５に示した角度ダイバーシチ受信装置の具体的な構成の一形態を示すブロック図である。
【図７】本発明に関連する、角度ダイバーシチ受信装置の構成を示すブロック図である。
【図８】対流圏散乱伝搬について説明するための図である。
【図９】関連技術による角度ダイバーシチ受信装置の動作を説明するための図である。
【発明を実施するための形態】
【００２０】
［第１の実施形態］
図１は、本発明の第１の実施形態による角度ダイバーシチ受信装置１００の構成を示す概略的なブロック図である。図１において、第１の実施形態の角度ダイバーシチ受信装置１００は、アレイアンテナ１０と、Ｍ個のフェーズドアレイ合成回路１２１−１２Ｍと、Ｍ個の適応整合フィルタ１３１〜１３Ｍと、ダイバーシチ合成回路１４０と、自動等化回路１５０と、相関制御回路１６０とを有している。アレイアンテナ１０は、Ｎ個のアンテナ素子１１１、１１２、・・・、１１Ｎを備える。ここで、Ｍ及びＮは２以上の整数であり、ＭはＮ以下である。
【００２１】
アンテナ素子１１１−１１Ｎからの受信信号は、フェーズドアレイ合成回路１２１−１２Ｍに入力される。フェーズドアレイ合成回路１２１−１２Ｍのそれぞれは、アンテナ素子１１１−１１Ｎから受信した受信信号から２つ以上の受信信号を選択して、フェーズドアレイ合成を行う。フェーズドアレイ合成回路１２１−１２Ｍは、Ｍ個のブランチを構成する。そして、フェーズドアレイ合成回路１２１−１２Ｍの出力は、それぞれＭ個の適応整合フィルタ１３１−１３Ｍに入力され、ダイバーシチ合成回路１４０によって合成される。このようにして、Ｍ個のブランチについて角度ダイバーシチの合成が行われる。ダイバーシチ合成回路１４０の出力は、自動等化回路１５０によって自動等化が行われ、受信データ信号が得られる。
【００２２】
角度ダイバーシチ受信装置１００は、複数のアンテナ素子が接続されたフェーズドアレイ合成回路１２１−１２Ｍにより、電波到来方向の変化に追随してブランチの指向方向を制御する。また、角度ダイバーシチ受信装置１００は、複数のブランチから複数のサブアレイを構成し、当該サブアレイの出力を角度ダイバーシチのブランチの受信信号として利用する。そして、角度ダイバーシチ受信装置１００は、当該角度ダイバーシチのブランチ間で適応整合フィルタリングを実施し、時間分散したマルチパスを含めた最大比合成を行い、最適な角度ダイバーシチ受信を行う。
【００２３】
第１の実施形態においては、相関制御回路１６０は、フェーズドアレイ合成回路１２１−１２Ｍの出力から選択された２つの出力の相関値を計算する。計算された相関値は、選択された２つの信号を出力したフェーズドアレイ合成回路に入力される。相関制御回路１６０は、フェーズドアレイ合成回路１２１−１２ＭのＭ個の出力のうち２つの出力の相関値を、順次計算してもよい。
【００２４】
図２は、図１に示した角度ダイバーシチ受信装置１００の具体的な構成の一形態を示すブロック図である。
【００２５】
角度ダイバーシチ受信装置１００ａは、アレイアンテナ１０と、フェーズドアレイ合成回路１２１及び１２２と、適応整合フィルタ（ＡＭＦ）１３１及び１３２と、ダイバーシチ合成回路１４０と、相関制御回路（ＣＯＲＲ）１６０と、自動等化回路（判定帰還等化器、ＤＦＥ）１５０とを備える。アレイアンテナ１０は、アンテナ素子１１ａ及び１１ｂを備える。
【００２６】
そして、角度ダイバーシチ受信装置１００ａは、さらに、アレイアンテナ１０と、フェーズドアレイ合成回路１２１及び１２２との間に、帯域通過ろ波器（ＢＰＦ）２２１及び２２２と、低雑音増幅器（ＬＮＡ）２３１及び２３２と、受信周波数変換器（ダウンコンバータ、Ｄ／Ｃ）２４１及び２４２と、自動利得制御器（ＡＧＣ）２５１及び２５２と、を備える。
【００２７】
帯域通過ろ波器２２１及び２２２、低雑音増幅器２３１及び２３２、受信周波数変換器２４１及び２４２、自動利得制御器２５１及び２５２の機能は、図７に示された同一の名称のブロックと同様である。
【００２８】
図２において、ダイバーシチブランチの数は２個である。また、アレイアンテナ１０は、アンテナ素子１１１及び１１２を備える。なお、アンテナ素子１１１及び１１２はそれぞれ、空中線反射鏡を備えたホーンアンテナタイプであってもよい。
【００２９】
角度ダイバーシチ受信装置１００ａは、アンテナ素子１１１及び１１２で受信された受信信号を、それぞれフェーズドアレイ合成回路１２１又は１２２によって線形合成する。そのようにして、角度ダイバーシチ受信装置１００ａは、フェーズドアレイの制御を行う。
【００３０】
相関制御回路１６０は、フェーズドアレイ合成回路１２１の出力信号と、フェーズドアレイ合成回路１２２の出力信号との相関を算出して、フェーズドアレイ合成回路１２１及び１２２に出力する。
【００３１】
ここで、フェーズドアレイ合成回路１２１において各サブアレイに乗算される複素係数をＷ１、フェーズドアレイ合成回路１２２において各サブアレイに乗算される複素係数をＷ２とする。
【００３２】
Ｗ１は、複素乗算器１９ａ又は１９ｂによって、各サブアレイの信号と乗算される。複素乗算器１９ａ及び１９ｂの出力は、加算器１９ｃで加算されてフェーズドアレイ合成回路１２１から出力される。Ｗ２は、複素乗算器２０ａ又は２０ｂによって、各サブアレイの信号と乗算される。複素乗算器２０ａ及び２０ｂの出力は、加算器２０ｃで加算されてフェーズドアレイ合成回路１２２から出力される。
【００３３】
複素係数Ｗ１は、フェーズドアレイ合成回路１２１の出力と、相関制御回路１６０から入力された相関値とに基づいて、フェーズドアレイ合成回路１２１の出力が最大になるように、修正される。
【００３４】
また、複素係数Ｗ２は、フェーズドアレイ合成回路１２２の出力と、相関制御回路１６０から入力された相関値とに基づいて、フェーズドアレイ合成回路１２２の出力が最大になるように、修正される。
【００３５】
具体的には、重み付け係数Ｗ１及びＷ２は、以下の適応アルゴリズムで算出される。
【００３６】
Ｗ１（ｎ＋１）＝Ｗ１（ｎ）＋（１−μ）｛ｒ１＊（ｎ）・ｙ１（ｎ）｝  ・・・（式１）
Ｗ２（ｎ＋１）＝Ｗ２（ｎ）＋（１−μ）｛ｒ２＊（ｎ）・ｙ２（ｎ）｝  ・・・（式２）
ここで、ｒ１及びｒ２は、フェーズドアレイ合成回路１２１及び１２２それぞれの入力信号ベクトル（図２では２次元ベクトル）である。また、ｙ１及びｙ２は、フェーズドアレイ合成回路１２１及び１２２それぞれの出力信号ベクトルを示す。記号＊は複素共役を示し、括弧内のｎはｎ番目のサンプル、μは修正係数を示す。式１及び式２において、（１−μ）を乗算している理由は、上記アルゴリズムが正帰還型であることから、計算結果の発散を防止し、適応収束させるための乗数を逐次乗算するためである。
【００３７】
上記のアルゴリズムにより、フェーズドアレイ合成回路１２１及び１２２は、それぞれが独立に、受信レベルが最大になるように、ダイバーシチブランチの指向方向を制御する。当該動作の説明図を図３に示す。ＤＲ１ａは、フェーズドアレイ合成回路１２１による第１のダイバーシチブランチの指向方向である。また、ＤＲ１ｂはフェーズドアレイ合成回路１２２による第２のダイバーシチブランチの指向方向である。それぞれ指向方向の角度は、可変である。
【００３８】
以下、第１の実施形態の角度ダイバーシチ受信装置１００、１００ａを対流圏散乱伝搬に適用する場合について説明する。
【００３９】
再び図８を用いて対流圏散乱伝搬について説明する。受信局（角度ダイバーシチ受信装置１００、１００ａ）のアレイアンテナが、受信アンテナ８１２に対応する。送信局８１１から送信された送信ビームは、対流圏において散乱される。当該散乱領域は、散乱ボリュームと言われ、空間的広がりを有する。したがって、第１の散乱点ＳＴａからの指向方向ＤＴａの信号と第２の散乱点ＳＴｂからの指向方向ＤＴｂの信号とが各々、見通し外の受信局（角度ダイバーシチ受信装置１００、１００ａ）の受信アンテナ８１２に到来する。
【００４０】
ここで、散乱点ＳＴａとＳＴｂは空間的に離隔しており、また、各々の散乱現象は、ランダムに変動する。このため、散乱点ＳＴａとＳＴｂにおける散乱現象は、互いに無相関となる。したがって、指向方向ＤＴａ及びＤＴｂ間の受信信号も互いに無相関なフェージング信号となる。
【００４１】
よって、指向方向ＤＴａの信号及びＤＴｂの信号を、それぞれ角度差（例えば図３のＤＲ１ａ、ＤＲ１ｂ）を有する複数の受信素子で受信することにより、互いに無相関なダイバーシチのブランチを合成でき、その結果、角度ダイバーシチを行うことができる。
【００４２】
なお、実際の散乱伝搬では散乱点ＳＴａとＳＴｂが比較的空間的に近接した場合、それぞれの散乱点から受信される信号は完全には無相関ではなく、ある程度の相関を示す。特許文献２では、角度ダイバーシチのブランチ間の相関値が０．６以下であれば角度ダイバーシチとして効果があることが示されている。
【００４３】
散乱点ＳＴａとＳＴｂとの空間距離が大きくなれば、相関値が減少し、指向方向ＤＴａとＤＴｂとがなす角度が大きくなる。したがって、本発明ではフェーズドアレイによる指向方向を制御することにより、角度ダイバーシチのブランチ間の角度が大きくなるような指向方向ＤＲ１ａ及びＤＲ１ｂを形成し、互いの相関値を低減させ、ダイバーシチ効果を維持する。
【００４４】
図４は、角度ダイバーシチのブランチ間の相関値と指向方向の間隔（ビーム間の角度差）の関係を示す図である。図４において、縦軸は角度ダイバーシチのブランチ間相関値ηを、横軸はブランチのビーム間の角度差Δθを示す。図４から分かるように、角度ダイバーシチのブランチ間相関値ηは、ブランチのビーム間の角度差Δθの増大と共に減少する。
【００４５】
ここで、図３に示されたＤＲ１ａ及びＤＲ１ｂの指向方向ベクトル（指向性）Ｇ１、Ｇ２は、以下のように定義される。
【００４６】
Ｇ１＝ｇ１・ｅｘｐ（ｊθ１）  ・・・（式３）
Ｇ２＝ｇ２・ｅｘｐ（ｊθ２）  ・・・（式４）
上記の式３、４において、ｇ１は指向方向ＤＲ１ａの指向ベクトルの振幅、θ１は当該指向ベクトルの仰角、ｇ２は指向方向ＤＲ１ｂの指向ベクトルの振幅、θ２は当該指向ベクトルの仰角を示す。
【００４７】
以上のベクトルＧ１、Ｇ２は、フェーズドアレイ合成回路１２１及び１２２のそれぞれの出力が最大となる際の、各々のブランチが示す指向性ベクトルである。このため、図８に示された散乱点ＳＴａとＳＴｂとが近接した場合、状況によっては、互いの指向性Ｇ１とＧ２が近づくことがある。この場合、ブランチ間の相関値が大きくなり、ダイバーシチ効果が減少する。本発明では、ブランチ間の相関値を求め、図４に示された関係に基づいて、当該相関値が減少するように、すなわち角度差Δθを増大させるように、前記のベクトルＧ１にｅｘｐ（＋ｊΔθ／２）を乗じる。また、ベクトルＧ２には、ｅｘｐ（−ｊΔθ／２）を乗じる。即ち、ベクトルＧ１とＧ２は以下のように、Δθに関する摂動補正を行う。
【００４８】
Ｇ１＝ｇ１・ｅｘｐ（ｊθ１）・ｅｘｐ（＋ｊΔθ／２）  ・・・（式５）
Ｇ２＝ｇ２・ｅｘｐ（ｊθ２）・ｅｘｐ（−ｊΔθ／２）  ・・・（式６）
以上の指向方向ベクトルＧ１とＧ２を摂動補正することにより、角度ダイバーシチ間の相関を低い状態に保ちつつ、角度ダイバーシチ効果を維持できる。
【００４９】
その結果、第１の実施形態の角度ダイバーシチ受信装置は、電波の到来する角度が変化しても受信レベルの低下を回避できると共に、対流圏散乱伝搬の状況に変化があってもダイバーシチ効果を維持することができる。
【００５０】
なお、図１に記載された角度ダイバーシチ受信装置１００は、以下のようにも構成できる。
【００５１】
角度ダイバーシチ受信装置１００は、アレイアンテナの受信信号によって角度ダイバーシチのブランチを構成して角度ダイバーシチ受信を行う角度ダイバーシチ受信装置である。そして、角度ダイバーシチ受信装置１００は、アレイアンテナと、フェーズドアレイ合成回路２０−１〜２０−Ｎと、相関制御回路１６０とを備える。
【００５２】
フェーズドアレイ合成回路２０１−２０Ｎは、アレイアンテナに含まれる複数のアンテナ素子の受信信号をフェーズドアレイ合成することにより、ブランチの受信信号を生成する。そして、相関制御手段は、ブランチの受信信号間の相関値を出力する。さらに、フェーズドアレイ合成回路２０１−２０Ｎは、相関制御手段１６０から出力される相関値が小さくなるようにブランチ間の指向方向の角度差を制御する。
【００５３】
このような構成によっても、角度ダイバーシチ受信装置１００は、フェーズドアレイ合成するによって、電波の到来する角度が変化しても受信レベルの低下を回避できる。そして、角度ダイバーシチ受信装置１００は、ブランチ間の相関値が小さくなるようにブランチ間の指向方向の角度差を制御することによって、対流圏散乱伝搬の状況に変化があってもダイバーシチ効果を維持することができる。
【００５４】
［第２の実施形態］
図５は、本発明の第２の実施形態による角度ダイバーシチ受信装置２００の構成を示す概略的なブロック図である。角度ダイバーシチ受信装置２００は、複数のフェーズドアレイ合成回路の出力間の相互相関を適応整合フィルタの複素タップ乗算係数から求める点が、第１の実施形態と異なっている。
【００５５】
すなわち、図５を参照すると、相関制御回路１６０には、適応整合フィルタ１３１−１３Ｍの複素タップ乗算係数が入力されており、相関制御回路１６０は、適応整合フィルタ１３１−１３Ｍのうち選択された２つの適応整合フィルタの複素タップ乗算係数に基づいて、相関値の演算を行う。なお、相関制御回路１６０への入力部分以外の、角度ダイバーシチ受信装置２００の構成及び基本的な動作は、図１に記載された角度ダイバーシチ受信装置１００と同様であるので、詳細な説明は省略する。
【００５６】
図６は、図５に示した角度ダイバーシチ受信装置２００の具体的な構成の一形態を示すブロック図である。図６を参照すると、角度ダイバーシチ受信装置２００ａは、図２の角度ダイバーシチ受信装置１００ａと同様に、アレイアンテナ１０と、フェーズドアレイ合成回路１２１及び１２２と、適応整合フィルタ（ＡＭＦ）１３１及び１３２と、ダイバーシチ合成回路１４０と、相関制御回路（ＣＯＲＲ）１６０と、自動等化回路（判定帰還等化器、ＤＦＥ）１５０とを備える。アレイアンテナ１０は、アンテナ素子１１ａ及び１１ｂを備える。
【００５７】
そして、角度ダイバーシチ受信装置２００ａは、さらに、アレイアンテナ１０と、フェーズドアレイ合成回路１２１及び１２２との間に、帯域通過ろ波器（ＢＰＦ）２２１及び２２２と、低雑音増幅器（ＬＮＡ）２３１及び２３２と、受信周波数変換器（ダウンコンバータ、Ｄ／Ｃ）２４１及び２４２と、自動利得制御器（ＡＧＣ）２５１及び２５２と、を備える。
【００５８】
帯域通過ろ波器２２１及び２２２、低雑音増幅器２３１及び２３２、受信周波数変換器２４１及び２４２、自動利得制御器２５１及び２５２の機能は、図７に示された同一の名称のブロックと同様である。
【００５９】
すなわち、図６に示す角度ダイバーシチ受信装置２００ａのダイバーシチブランチ数は２個である。なお、アンテナ素子１１１及び１１２はそれぞれ、空中線反射鏡を備えたホーンアンテナタイプであってもよい。
【００６０】
角度ダイバーシチ受信装置２００ａは、アンテナ素子１１１及び１１２の受信信号を、フェーズドアレイ合成回路１２１及び１２２によって線形合成する。これにより、フェーズドアレイの制御が行われる。
【００６１】
角度ダイバーシチ受信装置２００ａにおいては、フェーズドアレイ合成回路１２１の出力及びフェーズドアレイ合成回路１２２の出力間の相互相関は、適応整合フィルタ１３１及び１３２の複素タップ乗算係数から求められる。
【００６２】
すなわち、相関制御回路１６０は、適応整合フィルタ１３１の複素タップ乗算係数と、適応整合フィルタ１３２の複素タップ乗算係数との相関値を算出して、フェーズドアレイ合成回路１２１及び１２２に出力する。
【００６３】
ここで、フェーズドアレイ合成回路１２１において各サブアレイに乗算される複素係数をＷ１、第２のフェーズドアレイ合成回路１２２において各サブアレイに乗算される複素係数をＷ２とする。
【００６４】
複素係数Ｗ１は、フェーズドアレイ合成回路１２１の出力と、相関制御回路１６０から入力された相関値とに基づいて、フェーズドアレイ合成回路１２１の出力が最大になるように、適応修正される。
【００６５】
また、複素係数Ｗ２は、フェーズドアレイ合成回路１２２の出力と、相関制御回路１６０から入力された相関値とに基づいて、フェーズドアレイ合成回路１２２の出力が最大になるように、適応修正される。
【００６６】
Ｗ１及びＷ２の値は、第１の実施形態と同様に、式（１）及び式（２）によって算出される。また、角度ダイバーシチのブランチの指向方向ベクトル（指向性）Ｇ１、Ｇ２は、式（３）〜式（６）によって求められる。
【００６７】
このような構成においても、第１の実施形態で説明した式（１）〜式（６）を用いてフェーズドアレイ合成回路１２１及び１２２の出力を最大化するとともに、指向方向ベクトルＧ１とＧ２とを摂動補正することで、角度ダイバーシチ間の相関を低い状態に保ちつつ、角度ダイバーシチ効果を維持できる。
【００６８】
その結果、第２の実施形態の角度ダイバーシチ受信装置も、第２の実施形態の角度ダイバーシチ受信装置と同様に、電波の到来する角度が変化しても受信レベルの低下を回避できると共に、対流圏散乱伝搬の状況に変化があってもダイバーシチ効果を維持することができる。
【００６９】
（第３の実施形態）
本発明の第３の実施形態の角度ダイバーシチ受信装置は、ブランチとして、複数のアンテナ素子の受信信号を複素係数の乗算及び加算を行ってフェーズドアレイ合成する複数のフェーズドアレイ合成回路と、複数のフェーズドアレイ合成回路それぞれの出力に基づいて、ブランチ間の相関値が最小となるようにブランチ相互の指向方向の角度差を制御する相関制御回路と、複数のフェーズドアレイ合成回路の出力がそれぞれ入力される複数の適応整合フィルタと、複数の適応整合フィルタの出力を合成することで角度ダイバーシチ合成を行うダイバーシチ合成回路と、ダイバーシチ合成回路の出力を自動等化する自動等化回路とを有する。
【００７０】
（第４の実施形態）
本発明の第４の実施形態の角度ダイバーシチ受信装置は、ブランチとして、複数のアンテナ素子の受信信号を複素係数の乗算及び加算を行ってフェーズドアレイ合成する複数のフェーズドアレイ合成回路と、複数のフェーズドアレイ合成回路の出力がそれぞれ入力される複数の適応整合フィルタと、複数の適応整合フィルタの出力を合成することで角度ダイバーシチ合成を行うダイバーシチ合成回路と、ダイバーシチ合成回路の出力を自動等化する自動等化回路と、複数の適応整合フィルタの複素タップ乗算係数に基づいて、ブランチ間の相関値が最小となるようにブランチ相互の指向方向の角度差を制御する相関制御回路とを有する。
【００７１】
なお、本発明の第３及び第４の実施形態の複数のアンテナ素子は、ホーンアンテナ型であってもよい。
【００７２】
以上説明した実施形態に限定されることなく、本発明は、特許請求の範囲に記載された技術範囲内であれば、種々の変形が可能であることは云うまでもない。
【００７３】
この出願は、２０１２年３月２９日に出願された日本出願特願２０１２−０７６４８９を基礎とする優先権を主張し、その開示の全てをここに取り込む。
【産業上の利用可能性】
【００７４】
例えば、第１乃至第４の実施形態の角度ダイバーシチ受信装置は、マルチパスフェージングが生じる伝搬において角度ダイバーシチを用いる通信に利用可能である。また、本発明の活用例として、対流圏散乱伝搬通信または陸上モバイル通信に活用可能である。
【符号の説明】
【００７５】
１０、６１１  アレイアンテナ
１１１−１１Ｎ、６１Ａ、６１Ｂ  アンテナ素子
１００、１００ａ、２００、２００ａ  角度ダイバーシチ受信装置
１２１−１２Ｍ  フェーズドアレイ合成回路
１３１−１３Ｍ  適応整合フィルタ
１４０  ダイバーシチ合成回路
１５０  自動等化回路
１６０  相関制御回路
１９ａ、１９ｂ、２０ａ、２０ｂ  複素乗算器
１９ｃ、２０ｃ  加算器
１６０  相関制御回路（ＣＯＲＲ）
２２１、２２２  帯域通過ろ波器（ＢＰＦ）
２３１、２３２  低雑音増幅器（ＬＮＡ）
２４１、２４２  受信周波数変換器（ダウンコンバータ、Ｄ／Ｃ）
２５１、２５２  自動利得制御器（ＡＧＣ）
８１１  送信局
８１２  受信アンテナ
【図１】
0005871059.tif 000002
【図２】
0005871059.tif 000003
【図３】
0005871059.tif 000004
【図４】
0005871059.tif 000005
【図５】
0005871059.tif 000006
【図６】
0005871059.tif 000007
【図７】
0005871059.tif 000008
【図８】
0005871059.tif 000009
【図９】
0005871059.tif 000010